(57)【要約】      （修正有）【課題】便利性を上げ、使用ニーズを満たし、コストを低く、安全性能を高くすることが可能なメモリー装置を提供する。【解決手段】上カバー１と、USBインターフェイス６と、SDカード端子７と、主回路基板８と、SDカード１１と、下カバー１５と、SDカードカバー１６と、を含む。上カバーと下カバーが固定され、上カバーと下カバーとの接合部の一端にUSBインターフェイスが設けられ、USBインターフェイスが設けられた一端の下カバーにSDカードカバーが回動可能に接続され、SDカードカバーの内側に下カバー内に固定されたSDカードが設けられ、SDカードがSDカード固定座１２に係止され、SDカード固定座が下カバー内の主回路基板の下側に固定され、上カバーと下カバーとの接合部の他端にSDカード端子が設けられる。【選択図】図２
2016051475.tif 000002
【特許請求の範囲】
【請求項１】
脱着可能なメモリー装置であって、
上カバーと、USBインターフェイスと、SDカード端子と、主回路基板と、SDカードと、下カバーと、SDカードカバーと、を含み、
前記上カバーと前記下カバーが固定され、上カバーと下カバーとの接合部の一端にUSBインターフェイスが設けられ、
前記USBインターフェイスが設けられた一端の下カバーにSDカードカバーが回動可能に接続され、前記SDカードカバーの内側に下カバー内に固定されたSDカードが設けられ、前記SDカードがSDカード固定座に係止され、SDカード固定座が下カバー内の主回路基板の下側に固定され、
前記上カバーと前記下カバーとの接合部の他端にSDカード端子が設けられた、
ことを特徴とするメモリー装置。
【請求項２】
前記SDカード端子がスライドブロックの上側に固定され、スライドブロックがSDカード端子のサドルに摺動自在に接続され、前記SDカード端子のサドルが下カバー内に固定され、
前記スライドブロックの下側が下カバーの表面に設けられた滑り溝から延びる、
ことを特徴とする請求項1に記載されたメモリー装置。
【請求項３】
前記スライドブロックと、前記下カバーのSDカード端子が設けられた一端との間にSDカード端子バネが設けられ、前記スライドブロックにバックルストリップが設けられ、下カバー内には、バックルストリップと対応してバックルスロットが設けられた、
ことを特徴とする請求項2に記載されたメモリー装置。
【請求項４】
前記USBインターフェイスがサドルの下側に固定され、サドルがUSBインターフェイスの固定座に摺動自在に接続され、前記USBインターフェイスの固定座が上カバーに固定又はロックされ、前記固定又はロックされたカバー本体の上側にUSBインターフェイスのスライドブロックが固定され、USBインターフェイスのスライドブロックがUSBインターフェイスの固定座を通り、且つ上カバーの表面に設けられた滑り溝から延びる、
ことを特徴とする請求項1に記載されたメモリー装置。
【請求項５】
前記USBインターフェイスの固定座と前記上カバーとの間にロックシートが設けられ、ロックシートにUSBインターフェイスのスライドブロックをロックするための溝が設けられた、
ことを特徴とする請求項4に記載されたメモリー装置。
【請求項６】
前記USBインターフェイスの固定座と上カバー内側のUSBインターフェイスから離れた一端との間にUSBインターフェイスバネが設けられた、
ことを特徴とする請求項5に記載されたメモリー装置。
【発明の詳細な説明】
【技術分野】
【０００１】
本発明は、メモリー装置に関し、特に、脱着可能なメモリー装置に関する。
【背景技術】
【０００２】
従来のメモリー装置の構造は多種多様であり、機能もそれぞれ異なる。
【０００３】
その多くは下記された一つ以上が足りない点が存在している。
１）構造設計が複雑であり、使用が不便である
２）機能が単一で、使用ニーズを満たすことができない
３）製作コストが高いので、普及と応用が難い
４）安全性能が悪い
【発明の概要】
【発明が解決しようとする課題】
【０００４】
従来技術には上述する足りない点が存在していた。
本発明は、便利性を上げ、使用ニーズを満たし、コストを低く、安全性能を高くすることが可能なメモリー装置を提供することである。
【課題を解決するための手段】
【０００５】
上記の目的を達成するため、本発明におけるメモリー装置は、脱着可能であって、上カバーと、USBインターフェイスと、SDカード端子と、主回路基板と、SDカードと、下カバーと、SDカードカバーと、を含み、前記上カバーと前記下カバーが固定され、上カバーと下カバーとの接合部の一端にUSBインターフェイスが設けられ、前記USBインターフェイスが設けられた一端の下カバーにSDカードカバーが回動可能に接続され、前記SDカードカバーの内側に下カバー内に固定されたSDカードが設けられ、前記SDカードがSDカード固定座に係止され、SDカード固定座が下カバー内の主回路基板の下側に固定され、前記上カバーと前記下カバーとの接合部の他端にSDカード端子が設けられる。
【０００６】
好ましいのは、前記SDカード端子がスライドブロックの上側に固定され、スライドブロックがSDカード端子のサドルに摺動自在に接続され、前記SDカード端子のサドルが下カバー内に固定され、前記スライドブロックの下側が下カバーの表面に設けられた滑り溝から延びる。
好ましいのは、前記スライドブロックと、前記下カバーのSDカード端子が設けられた一端との間にSDカード端子バネが設けられ、前記スライドブロックにバックルストリップが設けられ、下カバー内には、バックルストリップと対応してバックルスロットが設けられた。
より好ましいのは、前記USBインターフェイスがサドルの下側に固定され、サドルがUSBインターフェイスの固定座に摺動自在に接続され、前記USBインターフェイスの固定座が上カバーに固定又はロックされ、前記固定又はロックされたカバー本体の上側にUSBインターフェイスのスライドブロックが固定せられ、USBインターフェイスのスライドブロックがUSBインターフェイスの固定座を通り、且つ上カバーの表面に設けられた滑り溝から延びる。
より好ましいのは、前記USBインターフェイスの固定座と前記上カバーとの間にロックシートが設けられ、ロックシートにUSBインターフェイスのスライドブロックをロックするための溝が設けられた。
より好ましいのは、前記USBインターフェイスの固定座と上カバー内側のUSBインターフェイスから離れた一端との間にUSBインターフェイスバネが設けられた。
【発明の効果】
【０００７】
本発明によれば、便利性を上げ、使用ニーズを満たし、コストを低く、安全性能を高くすることが可能となる。
【図面の簡単な説明】
【０００８】
【図１】本発明の実施の形態に係るメモリー装置の立体図である。
【図２】本発明の実施の形態に係るメモリー装置の分解図である。
【発明を実施するための形態】
【０００９】
以下、本発明の実施の形態について、各図を参照しながら説明する。
【００１０】
図１から図２に示すように、メモリー装置は、上カバー1と、USBインターフェイス6と、SDカード端子7と、主回路基板8と、SDカード11と、下カバー15と、SDカードカバー16と、を含み、その中に、上カバー1と下カバー15がバックル接続され、又はねじで固定され、上カバー1と下カバー15との接合部の一端にUSBインターフェイス6が設けられ、USBインターフェイス6が設けられた一端の下カバー15にSDカードカバー16が伸縮自在に接続され、SDカードカバー16が下カバー15にバックルを開き接続することができる。
【００１１】
SDカードカバー16の内側に下カバー15内に固定されたSDカード11が設けられ、SDカード11がSDカードバネバックル13を介してSDカード固定座12に係止され、SDカード固定座12が下カバー15内の主回路基板8の下側に固定され、使用するとき、SDカードカバー16を開き、SDカードバネバックル13を外してからSDカード11を取り出す且つ交換することができる。その構造設計は簡単で、便利に使用できる。
【００１２】
上カバー1と下カバー15との接合部の他端にSDカード端子7が設けられ、SDカード端子7が該端から自由に伸縮できる。
【００１３】
SDカード端子7がスライドブロック14の上側に固定され、スライドブロック14がSDカード端子のサドル9に摺動自在に接続され、スライドブロック14がSDカード端子のサドル9に自在に移動でき、SDカード端子のサドル9が下カバー15内に固定され、スライドブロック14の下側が下カバー15の表面に設けられた滑り溝に通され、スライドブロック14が下カバー15の表面に設けられた滑り溝を滑り、且つSDカード端子7を連れ下カバー15の側端から伸び又は引っ込めさせることができる。
【００１４】
スライドブロック14と、下カバー15のSDカード端子7が設けられた一端との間にSDカード端子バネ10が設けられ、スライドブロック14にバックルストリップが設けられ、下カバー15内には、バックルストリップと対応してバックルスロットが設けられた。使用するとき、スライドブロック14が押されてそのバックルストリップがバックルスロット内に係止される場合に、SDカード端子7が、下カバー15から伸びて、この時、スライドブロック14がSDカード端子バネ10を圧縮してスライドブロック14を押下した後、バックルストリップはバックルスロットから離脱し、SDカード端子バネ10のバネ力でスライドブロック14を移動させて、SDカード端子7を下カバー15の側端に引っ込めさせる。
【００１５】
USBインターフェイス6がサドル5の下側に固定され、サドル5がUSBインターフェイスの固定座3に摺動自在に接続され、USBインターフェイスの固定座3が上カバー1に固定又はロックされ、固定又はロックされたカバー本体5の上側にUSBインターフェイスのスライドブロック4が設けられ、USBインターフェイスのスライドブロック4がUSBインターフェイスの固定座3を通り抜け且つ上カバー1の表面に設けられた滑り溝に通され、USBインターフェイスのスライドブロック4が上カバー1の表面に設けられた滑り溝を滑り、且つサドル5をUSBインターフェイスの固定座3に沿って滑らせ、さらにサドル5の下側に固定されたUSBインターフェイス6を上カバー1の側端から伸び又は引っ込めさせることができる。
【００１６】
USBインターフェイスの固定座3と上カバー1との間にロックシート2が設けられ、ロックシート2にUSBインターフェイスのスライドブロック4をロックするための溝が設けられる。USBインターフェイス6が上カバー1の側端から伸びるとき、USBインターフェイスのスライドブロック4がロックシート2の一つの端に設けられた溝にロックされ、USBインターフェイスのスライドブロック4を押すと、USBインターフェイスのスライドブロック4がロックシート2上の溝から離脱する。
【００１７】
USBインターフェイスの固定座3と上カバー1内側のUSBインターフェイス6から遠ざける端との間にUSBインターフェイスバネ17が設けられた。USBインターフェイス6が上カバー1の側端内に引っ込むとき、USBインターフェイスバネ17の張力で自動的に上カバー1の側端内に引っ込む。
【００１８】
上記内容は、当業者が本発明を理解および応用しやすいために、具体的な好ましい実施形態を組み合わせて本発明に対する更なる詳細な説明であり、本発明の具体的な実施形態がこれらの説明に限定されると認定できない。本発明が属される技術分野の一般的な技術者にとって、本発明の構想から離れない前提で、若干簡単な推理又は取替えることができ、創造的労働を必要としない。したがって、当業者が本発明の掲示に基づいて、本発明に対する簡単な改善はいずれも本発明の保護範囲に含まれるべきである。
【符号の説明】
【００１９】
１  上カバー
２  ロックシート
３  USBインターフェイスの固定座
４  USBインターフェイスのスライドブロック
５  サドル
６  USBインターフェイス
７  SDカード端子
８  主回路基板
９  SDカード端子のサドル
１０  SDカード端子バネ
１１  SDカード
１２  SDカード固定座
１３  SDカードバネバックル
１４  スライドブロック
１５  下カバー
１６  SDカードカバー
１７  USBインターフェイスバネ
【図１】
2016051475.tif 000003
【図２】
2016051475.tif 000004